(57)【要約】【課題】凝縮器の一部を蒸発器の凍結防止用の熱交換器とする冷媒回路を備え、外気温が高い環境でも加熱能力が低下しない空気熱源ヒートポンプ加熱装置を提供する。【解決手段】空気熱源ヒートポンプ加熱装置は、冷媒を圧縮する圧縮機と、圧縮機で圧縮された冷媒を凝縮させる第１凝縮器と、第１凝縮器の下流側に設けられた第２凝縮器と、第２凝縮器の下流側に設けられた膨張弁と、膨張弁で減圧された冷媒を気化させる蒸発器と、第２凝縮器を通過する冷媒の流れを迂回するバイパス流路と、バイパス流路に設けられた切替弁と、を備える。【選択図】図１
2019128102.tif 000002
【特許請求の範囲】
【請求項１】
冷媒を圧縮する圧縮機と、
前記圧縮機で圧縮された前記冷媒を凝縮させる凝縮器と、
前記凝縮器の下流側に設けられた凍結防止用熱交換器と、
前記凍結防止用熱交換器の下流側に設けられた膨張弁と、
前記膨張弁で減圧された前記冷媒を気化させる蒸発器と、
前記凍結防止用熱交換器を通過する前記冷媒の流れを迂回するバイパス流路と、
前記バイパス流路に設けられた切替弁と、
を備える空気熱源ヒートポンプ加熱装置。
【請求項２】
前記凝縮器が凝縮した前記冷媒を減圧する第１膨張弁と、
前記第１膨張弁にて減圧された前記冷媒の一部を貯留するレシーバと、
を前記凍結防止用熱交換器の上流側にさらに備える、請求項１に記載の空気熱源ヒートポンプ加熱装置。
【請求項３】
前記凍結防止用熱交換器が前記蒸発器の下方に配置される、
請求項１または請求項２に記載の空気熱源ヒートポンプ加熱装置。
【請求項４】
前記切替弁を制御する制御装置、をさらに備え、
前記制御装置は、前記凍結防止用熱交換器を通過した後の前記冷媒が気液２相状態となる場合に前記切替弁を開とする、
請求項１から請求項３の何れか１項に記載の空気熱源ヒートポンプ加熱装置。
【請求項５】
前記制御装置は、外気温が、前記凍結防止用熱交換器の入口側での冷媒の温度より高い場合、前記切替弁を開とする、
請求項４に記載の空気熱源ヒートポンプ加熱装置。
【請求項６】
前記制御装置は、外気温が、前記凍結防止用熱交換器の入口側での冷媒の温度から所定の第一閾値を減じた値より高い場合、前記切替弁を開とする、
請求項５に記載の空気熱源ヒートポンプ加熱装置。
【請求項７】
前記制御装置は、外気温が前記凍結防止用熱交換器の入口側での冷媒の温度から前記第一閾値より大きな値である所定の第二閾値を減じた値より低い場合、前記切替弁を閉とする、
請求項６に記載の空気熱源ヒートポンプ加熱装置。
【請求項８】
冷媒を圧縮する圧縮機と、前記圧縮機で圧縮された前記冷媒を凝縮させる凝縮器と、前記凝縮器の下流側に設けられた凍結防止用熱交換器と、前記凍結防止用熱交換器の下流側に設けられた膨張弁と、前記膨張弁で減圧された前記冷媒を気化させる蒸発器と、前記凍結防止用熱交換器を通過する前記冷媒の流れを迂回するバイパス流路と、前記バイパス流路に設けられた切替弁と、を備える空気熱源ヒートポンプ加熱装置において、
前記凍結防止用熱交換器を通過した後の前記冷媒が気液２相状態となる場合に前記切替弁を開とする、制御方法。
【発明の詳細な説明】
【技術分野】
【０００１】
本発明は、空気熱源ヒートポンプ加熱装置及び制御方法に関する。
【背景技術】
【０００２】
低外気温向けのヒートポンプ加熱装置では、凝縮器の一部を蒸発器となる室外熱交換器の下方に配置し、室外熱交換器で凝縮水が凍結するのを防止するための加熱用熱交換器（凍結防止用熱交換器）として利用する場合がある。その為、この冷媒回路では、凍結防止用熱交換器の後流に絞り装置を設けることが必要になる。なお、特許文献１には、蒸発器となる室外熱交換器の入口側に過冷却コイルを設けたヒートポンプ式の空気調和機において、暖房運転時の能力低下を防ぐ目的で、暖房運転時に冷媒が過冷却コイルの通過しないよう制御し、過冷却コイルから外部への熱の放出を防ぎ、暖房能力を向上する技術が開示されている。
【先行技術文献】
【特許文献】
【０００３】
【特許文献１】実開昭６１−８４４７０号公報
【発明の概要】
【発明が解決しようとする課題】
【０００４】
上記の低外気温向けのヒートポンプ加熱装置を、外気温が高い環境で使用すると、外気温が冷媒温度を上回る場合がある。外気温が冷媒温度を上回ると、凍結防止用熱交換器を通過した冷媒が気液２相状態となり、絞り装置がチョークし、冷媒流量が低下する。冷媒流量が低下すると加熱装置の加熱能力が低下する。従って、高外気温向けのヒートポンプ加熱装置の冷媒回路では、凍結防止用熱交換器を室外熱交換器の下方に配置することが困難である。
【０００５】
そこでこの発明は、上述の課題を解決することのできる空気熱源ヒートポンプ加熱装置及び制御方法を提供することを目的としている。
【課題を解決するための手段】
【０００６】
本発明の一態様によれば、空気熱源ヒートポンプ加熱装置は、冷媒を圧縮する圧縮機と、前記圧縮機で圧縮された前記冷媒を凝縮させる凝縮器と、前記凝縮器の下流側に設けられた凍結防止用熱交換器と、前記凍結防止用熱交換器の下流側に設けられた膨張弁と、前記膨張弁で減圧された前記冷媒を気化させる蒸発器と、前記凍結防止用熱交換器を通過する前記冷媒の流れを迂回するバイパス流路と、前記バイパス流路に設けられた切替弁と、を備える。
【０００７】
本発明の一態様によれば、前記空気熱源ヒートポンプ加熱装置は、前記凝縮器が凝縮した前記冷媒を減圧する第１膨張弁と、前記第１膨張弁にて減圧された前記冷媒の一部を貯留するレシーバと、を前記凍結防止用熱交換器の上流側にさらに備える。
【０００８】
本発明の一態様によれば、前記凍結防止用熱交換器が前記蒸発器の下方に配置される。
【０００９】
本発明の一態様によれば、前記空気熱源ヒートポンプ加熱装置は、前記切替弁を制御する制御装置、をさらに備え、前記制御装置は、前記凍結防止用熱交換器を通過した後の前記冷媒が気液２相状態となる場合に前記切替弁を開とする。
【００１０】
本発明の一態様によれば、前記制御装置は、外気温が、前記凍結防止用熱交換器の入口側での冷媒の温度より高い場合、前記切替弁を開とする。
【００１１】
本発明の一態様によれば、前記制御装置は、外気温が、前記凍結防止用熱交換器の入口側での冷媒の温度から所定の第一閾値を減じた値より高い場合、前記切替弁を開とする。
【００１２】
本発明の一態様によれば、前記制御装置は、外気温が前記凍結防止用熱交換器の入口側での冷媒の温度から前記第一閾値より大きな値である所定の第二閾値を減じた値より低い場合、前記切替弁を閉とする。
【００１３】
本発明の一態様によれば、制御方法は、冷媒を圧縮する圧縮機と、前記圧縮機で圧縮された前記冷媒を凝縮させる凝縮器と、前記凝縮器の下流側に設けられた凍結防止用熱交換器と、前記凍結防止用熱交換器の下流側に設けられた膨張弁と、前記膨張弁で減圧された前記冷媒を気化させる蒸発器と、前記凍結防止用熱交換器を通過する前記冷媒の流れを迂回するバイパス流路と、前記バイパス流路に設けられた切替弁と、を備える空気熱源ヒートポンプ加熱装置において、前記凍結防止用熱交換器を通過した後の前記冷媒が気液２相状態となる場合に前記切替弁を開とする。
【発明の効果】
【００１４】
本発明によれば、凝縮器の一部を蒸発器の凍結防止用の熱交換器とする冷媒回路を備える空気熱源ヒートポンプ加熱装置を、外気温が高い環境でも加熱能力を低下させることなく使用することができる。
【図面の簡単な説明】
【００１５】
【図１】本発明の一実施形態における冷媒回路の一例を示す第１の図である。
【図２】本発明の一実施形態における冷媒回路要部の模式図である。
【図３】本発明の一実施形態の冷媒回路において外気温が低い場合のモリエル線図である。
【図４】本発明の一実施形態の冷媒回路において外気温が高い場合のモリエル線図である。
【図５】外気温が高い状態でバイパス流路を用いない場合のモリエル線図である。
【図６】本発明の一実施形態における二方弁の切り替え基準の一例を示す図である。
【図７】本発明の一実施形態における制御方法の一例を示すフローチャートである。
【図８】本発明の一実施形態における冷媒回路の一例を示す第２の図である。
【発明を実施するための形態】
【００１６】
＜実施形態＞
以下、本発明の一実施形態における加熱装置について、図１〜図８を参照して説明する。図１は、本発明の一実施形態における冷媒回路の一例を示す第１の図である。
冷媒回路１は、所定の温度に上昇させた温風等を利用者に供給する空気熱源ヒートポンプ加熱装置に用いられる冷媒回路である。本実施形態では、凝縮器の一部を蒸発器の凍結防止用熱交換器とし、外気温が低温の状態だけでなく、高温の状態でも加熱能力を低下させることなく温風等を供給できる冷媒回路１を提供する。
図１が示すとおり冷媒回路１は、圧縮機１０、四方弁１１、利用側熱交換器１２、第１膨張弁１３、レシーバ１４、バイパス流路１５、凍結防止用熱交換器１７、第２膨張弁１８、熱源側熱交換器１９、アキュムレータ２０、それらを接続する配管２１、制御装置１００を含んで構成される。バイパス流路１５は、凍結防止用熱交換器１７を迂回するように設けられた冷媒の流路であり、バイパス流路１５には、二方弁１６が設けられている。
なお、図１に示す冷媒回路１の具体的な構成は、冷媒回路１の基本的な構成を模式的に示したものであって、さらに他の構成要素が含まれていてもよい。
【００１７】
圧縮機１０は、冷媒を圧縮して高圧冷媒を吐出する。この高圧冷媒は、四方弁１１を経由して利用側熱交換器１２へ供給される。利用側熱交換器１２は、凝縮器として機能する。利用側熱交換器１２に供給された高圧冷媒は、室内の空気等と熱交換して放熱し、凝縮されて液化される。熱交換後の高圧冷媒は、第１膨張弁１３で減圧、膨張されレシーバ１４へ供給される。レシーバ１４は、供給された冷媒の一部を貯留する圧力容器である。レシーバ１４では、気体と液体の２相の冷媒が混在して存在する。レシーバ１４からは液相の冷媒が流出し、レシーバ１４の下流側且つ第２膨張弁１８の上流側に設けられた凍結防止用熱交換器１７へ供給される。外気温が冷媒温度よりも低い場合、凍結防止用熱交換器１７は凝縮器として機能する。冷媒は、凍結防止用熱交換器１７でさらに放熱し、凝縮する。凍結防止用熱交換器１７を通過した液相の冷媒は、第２膨張弁１８において減圧、膨張され低圧冷媒となる。低圧冷媒は、熱源側熱交換器１９に供給される。熱源側熱交換器１９は、蒸発器として機能する。熱源側熱交換器１９に供給された低圧冷媒は、ファン２２に供給される外気から吸熱して気化し、アキュムレータ２０へ供給される。冷媒は、アキュムレータ２０で気相と液相に分離され、気相の冷媒のみが圧縮機１０へ吸入される。冷媒は、再び圧縮機１０によって高圧冷媒とされ、上記の経路を循環する。図中、矢印は、冷媒の流れ方向を示している。デフロスト運転時には、四方弁を切り替えることにより、冷媒は矢印と逆方向に流れる。
【００１８】
制御装置１００は、マイコン等のコンピュータである。制御装置１００は、二方弁１６の開閉制御、四方弁を切り替え制御、圧縮機１０の制御、ファン２２の回転制御などを行う。
【００１９】
ここで、凍結防止用熱交換器１７について図２を参照して説明する。図２は、本発明の一実施形態における冷媒回路要部の模式図である。図２に示すように凍結防止用熱交換器１７は、熱源側熱交換器１９の下方に配置される。凍結防止用熱交換器１７は、特に低外気温時運転における蒸発器への着霜防止や凝縮水の凍結防止用に凝縮器（利用側熱交換器１２）の一部を熱源側熱交換器１９の下方に配置したものである。熱源側熱交換器１９への着霜は、デフロスト運転によっても除去されるが、外気温が０℃より低い環境では、ドレンとなった凝縮水が熱源側熱交換器１９の下部で凍結することがある。図のように熱源側熱交換器１９の下方に凍結防止用熱交換器１７を配置することによって、凍結防止用熱交換器１７を通過する冷媒による熱の放出によって、着霜や凍結を防ぐことができる。凍結を免れた凝縮水は、ドレン受け１９Ａを通じて排出される。
【００２０】
このように外気温が低温の場合、凍結防止用熱交換器１７は、凝縮器となり、凍結防止用の熱交換器として有効に機能する。この場合、凍結防止用熱交換器１７通過後の冷媒は液相である。液相の冷媒は第２膨張弁１８へ供給され、十分な量の冷媒が冷媒回路１を循環する。しかし、外気温が高温となると、外気温が冷媒温度を上回る場合がある。すると、凍結防止用熱交換器１７での放熱が阻害され、凍結防止用熱交換器１７が蒸発器として機能する場合がある。すると、凍結防止用熱交換器１７通過後の冷媒は気液２相状態となる。２相状態の冷媒が第２膨張弁１８へと供給されると、第２膨張弁１８がチョークする。第２膨張弁１８の開度は液相の冷媒に合わせて設計されており、気相の冷媒が混じると冷媒流量が低下する。冷媒流量が低下すると加熱装置の加熱能力が低下する。このように外気温が低温の状態では有効に機能する凍結防止用熱交換器１７が、外気温が高い状態では加熱能力低下の原因となる可能性がある。
【００２１】
そこで本実施形態の冷媒回路１では、バイパス流路１５を設け、外気温が高く、凍結防止用熱交換器１７通過後の冷媒が気液２相状態となるおそれがある場合には、冷媒を凍結防止用熱交換器１７へ供給せず、バイパス流路１５を通過させる。すると、冷媒は液相のまま第２膨張弁１８へ供給されるので、冷媒流量の低下や加熱能力の低下を招くおそれが無い。また、外気温が高い状態では、熱源側熱交換器１９の着霜や凍結を防止する制御を行う必要性は低下する。
【００２２】
より具体的には、凍結防止用熱交換器１７の入口側には冷媒の温度を計測する温度センサ２３、熱源側熱交換器１９の近傍には外気温を計測する温度センサ２４が設けられており、制御装置１００は、温度センサ２３が計測した冷媒温度と、温度センサ２４が計測した外気温とを取得する。そして、制御装置１００は、例えば、温度センサ２３，２４が計測した温度を比較することによりにより、凍結防止用熱交換器１７通過後の冷媒が気液２相状態となるか否かを判定する。例えば、外気温が冷媒温度を上回った場合、制御装置１００は、冷媒が気液２相状態となると判定し、この判定に基づいて二方弁１６を開とし、冷媒をバイパス流路１５側へ導く。また、制御装置１００は、例えば、外気温が冷媒温度以下の場合には、冷媒が液相となると判定し、この判定に基づいて二方弁１６を閉とし、冷媒を凍結防止用熱交換器１７へ導く。この制御により、高外気温時でも、第２膨張弁１８がチョークすることなく正常な冷媒回路を形成することができ、冷媒回路１は、外気温の高低に関わらず所望の加熱能力を発揮する。
【００２３】
次に冷媒回路１における冷媒の状態変化について図３〜図５を用いて説明する。
（外気温が低い場合）
図３は、本発明の一実施形態の冷媒回路において外気温が低い場合のモリエル線図である。
図３は、外気温が冷媒温度以下の場合、つまり、二方弁１６が閉とされ、冷媒が凍結防止用熱交換器１７を通過する場合のモリエル線図である。図３において各記号はそれぞれ次の状態を示す。すなわち、Ａ１は圧縮機１０が吐出した高温高圧の冷媒の状態（気相）、Ａ２は利用側熱交換器１２の出口側での冷媒の状態（液相）、Ａ３はレシーバ１４の出口側での冷媒の状態（液相）、Ａ４は凍結防止用熱交換器１７の出口側での冷媒の状態（液相）、Ａ５は第２膨張弁１８の出口側での冷媒の状態（気液２相）、Ａ６は熱源側熱交換器１９の出口側での冷媒の状態（気相）、をそれぞれ示している。Ａ６の状態の低圧冷媒は、圧縮機１０により圧縮され（状態Ａ１）、再度、同じサイクルを繰り返す。図示するように凍結防止用熱交換器１７は凝縮器として機能し、冷媒の状態がＡ３からＡ４へ変化し、エンタルピが減少するときに放熱が生じ、この熱により熱源側熱交換器１９の凍結を防止する。
【００２４】
（外気温が高い場合：バイパス流路あり）
図４は、本発明の一実施形態の冷媒回路において外気温が高い場合のモリエル線図である。
図４は、外気温が冷媒温度よりも高い場合、つまり、二方弁１６が開とされ、冷媒がバイパス流路１５を通過する場合のモリエル線図である。図４において各記号はそれぞれ次の状態を示す。すなわち、Ｂ１は圧縮機１０が吐出した高温高圧の冷媒の状態（気相）、Ｂ２は利用側熱交換器１２の出口側での冷媒の状態（液相）、Ｂ３はレシーバ１４の出口側での冷媒の状態（液相）、Ｂ４は第２膨張弁１８の出口側での冷媒の状態（気液２相）、Ｂ５は熱源側熱交換器１９の出口側での冷媒の状態（気相）、をそれぞれ示している。Ｂ５の低圧冷媒は、圧縮機１０により圧縮され（状態Ｂ１）、再度同じサイクルを繰り返す。図４に示すように第２膨張弁１８へ供給される冷媒は液相（状態Ｂ３）のため、第２膨張弁１８がチョークすること無く、冷媒回路１では十分な冷媒流量が確保される。
【００２５】
（外気温が高い場合：バイパス流路なし）
次に比較のためにバイパス流路１５、二方弁１６を備えない冷媒回路において外気温が冷媒温度よりも高い場合の冷媒の状態変化を図５に示す。図５は、外気温が高い状態でバイパス流路を用いない場合のモリエル線図である。
図５において各記号はそれぞれ次の状態を示す。すなわち、Ｃ１は圧縮機１０が吐出した高温高圧の冷媒の状態（気相）、Ｃ２は利用側熱交換器１２出口側での冷媒の状態（液相）、Ｃ３はレシーバ１４の出口側での冷媒の状態（液相）、Ｃ４は凍結防止用熱交換器１７の出口側での冷媒の状態（気液２相）、Ｃ５は第２膨張弁１８の出口側での冷媒の状態（気液２相）、Ｃ６は熱源側熱交換器１９の出口側での冷媒の状態（気相）、をそれぞれ示している。Ｃ６の低圧冷媒は、圧縮機１０により圧縮され（状態Ｃ１）、再度同じサイクルを繰り返す。図示するように凍結防止用熱交換器１７は蒸発器として機能し、冷媒がＣ３の状態からＣ４の状態へ変化するときに吸熱が生じ、冷媒は気液２相状態となる。気液２相状態の冷媒が第２膨張弁１８へ供給されると、第２膨張弁１８がチョークし、冷媒流量の低下、加熱能力の低下が生じる。
【００２６】
これに対し、本実施形態の冷媒回路１によれば、図４の状態Ｂ３に示すように、外気温が冷媒温度よりも高い場合は冷媒が凍結防止用熱交換器１７を通過することなく、バイパス流路１５を通過した液相の冷媒が第２膨張弁１８へ供給される。これにより、冷媒流量の低下、加熱能力の低下を防ぎ、冷媒回路１は、所望の加熱能力を発揮する。
【００２７】
制御装置１００は、上記例のように温度センサ２３が計測した外気温が、温度センサ２４が計測した冷媒温度を上回った場合に二方弁１６を開とする制御を行ってもよいが、二方弁１６の開閉を切り替える条件は、これに限定されない。例えば、二方弁１６を開とする温度を、外気温より所定の温度（ａ℃）だけ低い温度に設定してもよい。また、開閉の切り替え温度にはヒステリシスを設けてもよい。
【００２８】
図６は、本発明の一実施形態における二方弁の切り替え基準の一例を示す図である。
図６（ａ）に二方弁１６の開閉の切り替えに用いる冷媒温度の設定例を示す。冷媒温度の低い方から順に「外気温−ｂ」℃、「外気温−ａ」℃の２つの温度を設定する。「外気温−ａ」（℃）は二方弁１６を閉から開に切り替える温度、「外気温−ｂ」（℃）は二方弁１６を開から閉に切り替える温度である。ここで、ａ、ｂは、ａ＜ｂを満たす所定の正の値である。二方弁１６を閉から開に切り替える温度を外気温よりａ℃だけ低い温度に設定することで、温度センサ２３、２４の計測誤差や変動に影響されることなく、確実に冷媒流量の低下、加熱能力の低下を防ぐことができる。また、二方弁１６を開から閉に切り替える温度は、「外気温−ａ」（℃）より低い「外気温−ｂ」（℃）である。このように開閉の切り替え温度にヒステリシスを設けることで、温度センサ２３、２４の計測誤差や計測値のばらつきによる外気温と冷媒温度の温度差の変動によって二方弁１６の開閉が頻繁に切り替わり、制御が不安定になるのを防ぐことができる。
【００２９】
図６（ｂ）に二方弁１６の開閉を切り替えるときの外気温と凍結防止用熱交換器１７の入口側温度との関係を示す。破線のグラフＬ１（ｙ＝ｘ）は、外気温と凍結防止用熱交換器１７の入口側温度とが等しい関係を示す。実線のグラフＬ２（ｙ＝ｘ−ａ）は、二方弁１６を閉から開に切り替えるときの外気温と凍結防止用熱交換器１７の入口側温度との関係を示す。一点鎖線のグラフＬ３（ｙ＝ｘ−ｂ）は、二方弁１６を開から閉に切り替えるときの外気温と凍結防止用熱交換器１７の入口側温度との関係を示す。
制御装置１００は、外気温と凍結防止用熱交換器１７の入口側温度との関係を示す点が実線のグラフＬ２より上方の領域にあるとき、二方弁１６を開として、冷媒がバイパス流路１５を通過するように制御する。制御装置１００は、外気温と凍結防止用熱交換器１７の入口側温度との関係を示す点が一点鎖線のグラフＬ３より下方の領域にあるとき、二方弁１６を閉として、冷媒が凍結防止用熱交換器１７を通過するように制御する。これにより、所望の加熱能力を維持しつつ、安定した制御を実現することができる。
【００３０】
次に図７を用いて、二方弁１６の開閉制御について説明する。
図７は、本発明の一実施形態における制御方法の一例を示すフローチャートである。
冷媒回路１は、加熱運転中であり、図１の矢印方向に冷媒が循環しているとする。
まず、制御装置１００が、温度センサ２４から外気温、温度センサ２３から凍結防止用熱交換器１７の入口側の温度（冷媒温度）を取得する（ステップＳ１１）。
次に制御装置１００は、外気温と「冷媒温度−ａ」とを比較する。外気温が「冷媒温度−ａ」（℃）以上の高い場合（ステップＳ１２；Ｙｅｓ）、制御装置１００は、二方弁１６を開く（ステップＳ１３）。次に制御装置１００は、外気温と「冷媒温度−ｂ」とを比較する。外気温が「冷媒温度−ｂ」（℃）以下の場合（ステップＳ１４；Ｙｅｓ）、制御装置１００は、二方弁１６を閉じる（ステップＳ１５）。
次に制御装置１００は、加熱運転を停止するかどうかを判定する（ステップＳ１６）。加熱運転を停止する場合（ステップＳ１６；Ｙｅｓ）、制御装置１００は、圧縮機１０を停止する等の制御を行い、加熱運転を停止する。加熱運転を停止しない場合（ステップＳ１６；Ｎｏ）、ステップＳ１１からの処理を繰り返す。
【００３１】
本実施形態の冷媒回路１によれば、凍結防止用熱交換器１７の入口側での冷媒温度が外気温より高い状態でも、第２膨張弁１８がチョークすることなく、加熱能力の低下を防止することができる。
【００３２】
なお、本実施形態は、図８に例示するより小規模な冷媒回路１ａに適用することも可能である。
図８は、本発明の一実施形態における冷媒回路の一例を示す第２の図である。
冷媒回路１ａは、圧縮機１０ａ、四方弁１１ａ、利用側熱交換器１２ａ、バイパス流路１５ａ、凍結防止用熱交換器１７ａ、膨張弁１８ａ、熱源側熱交換器１９ａ、アキュムレータ２０ａ、それらを接続する配管２１ａ、制御装置１００ａを含んで構成される。凍結防止用熱交換器１７ａは、利用側熱交換器１２ａ（凝縮器）の下流側且つ膨張弁１８ａの上流側に設けられる。バイパス流路１５ａは、凍結防止用熱交換器１７ａを迂回する冷媒の流路であり、バイパス流路１５ａには、二方弁１６ａが設けられている。
【００３３】
制御装置１００ａは、温度センサ２３ａが計測した凍結防止用熱交換器１７ａ入口側での冷媒温度と、温度センサ２４ａが計測した外気温とを比較する。制御装置１００ａは、例えば、外気温が冷媒温度より高い場合は二方弁１６ａを開とし、外気温が冷媒温度以下の場合は二方弁１６ａを閉とする。これにより、冷媒回路１ａを備えた空気熱源ヒートポンプ加熱装置は、外気温の高低に関わらず所望の加熱能力を発揮する。
【００３４】
その他、本発明の趣旨を逸脱しない範囲で、上記した実施の形態における構成要素を周知の構成要素に置き換えることは適宜可能である。また、この発明の技術範囲は上記の実施形態に限られるものではなく、本発明の趣旨を逸脱しない範囲において種々の変更を加えることが可能である。
二方弁１６，１６ａは切替弁の一例、ａは第一閾値の一例、ｂは第二閾値の一例である。
【符号の説明】
【００３５】
１、１ａ・・・冷媒回路
１０、１０ａ・・・圧縮機
１１、１１ａ・・・四方弁
１２、１２ａ・・・利用側熱交換器
１３・・・第１膨張弁
１４、・・・レシーバ
１５、１５ａ・・・バイパス流路
１６、１６ａ・・・二方弁
１７、１７ａ・・・凍結防止用熱交換器
１８・・・第２膨張弁
１８ａ・・・膨張弁
１９、１９ａ・・・熱源側熱交換器
２０、２０ａ・・・アキュムレータ
２１、２１ａ・・・配管
１００、１００ａ・・・制御装置
２２、２２ａ・・・ファン
２３、２４、２３ａ、２４ａ・・・温度センサ
【図１】
2019128102.tif 000003
【図２】
2019128102.tif 000004
【図３】
2019128102.tif 000005
【図４】
2019128102.tif 000006
【図５】
2019128102.tif 000007
【図６】
2019128102.tif 000008
【図７】
2019128102.tif 000009
【図８】
2019128102.tif 000010